(57)【要約】【課題】光ファイバケーブルが外部に露出することを防止し、光接続損失を抑制した高品質な光コネクタ用ブーツを提供する。【解決手段】光コネクタ５０から引き出された光ファイバケーブル５１を収容・保護する光コネクタ用ブーツ１であって、光ファイバケーブル５１が収容されるケーブル収容溝１３が設けられたブーツ上部１１と、光ファイバケーブル５１が収容されるケーブル収容溝２３が設けられ、ブーツ上部１１と重ね合わされてブーツを形成するブーツ下部２１と、ブーツ上部１１とブーツ下部２１とを光ファイバケーブル５１の軸方向の一側で連結し、ブーツ上部１１とブーツ下部２１とを折り重ねることでブーツ上部１１とブーツ下部２１とを重ね合わせ可能な開き防止用ヒンジ３１と、ブーツ上部１１とブーツ下部２１とを重ね合わせた状態を保持する重ね合わせ保持部４１とを有する。【選択図】図１
2012014112.tif 000002
【特許請求の範囲】
【請求項１】
光コネクタの光ファイバケーブル引き出し側に組み付けられて前記光コネクタから引き出された光ファイバケーブルを収容・保護する光コネクタ用ブーツであって、
前記光コネクタから引き出された光ファイバケーブルが収容されるケーブル収容溝が設けられたブーツ上部と、
前記光コネクタから引き出された光ファイバケーブルが収容されるケーブル収容溝が設けられ前記ブーツ上部と重ね合わされて前記ブーツを形成するブーツ下部と、
前記ブーツ上部と前記ブーツ下部とを前記光ファイバケーブルの軸方向の一側で連結し前記ブーツ上部と前記ブーツ下部とを折り重ねることでブーツ上部とブーツ下部とを重ね合わせ可能な開き防止用ヒンジと、
前記ブーツ上部と前記ブーツ下部とを重ね合わせた状態を保持する重ね合わせ保持部と、を有することを特徴とする光コネクタ用ブーツ。
【請求項２】
請求項１に記載の光コネクタ用ブーツであって、
前記ブーツ上部は、光ファイバケーブルの軸方向に対して直交する方向に複数のスリットが設けられたブーツ上部本体と、このブーツ上部本体の幅方向の中間部に光ファイバケーブルの引き出し方向に沿って設けられた前記ケーブル収容溝と、を備え、
前記ブーツ下部は、光ファイバケーブルの軸方向に対して直交する方向に複数のスリットが設けられたブーツ下部本体と、このブーツ下部本体の幅方向の中間部に光ファイバケーブルの引き出し方向に沿って設けられ前記ケーブル収容溝としてケーブル挿通孔部を形成する前記ケーブル収容溝と、を備え、
前記開き防止用ヒンジは、前記両ケーブル収容溝の一側に設けられ、
前記重ね合わせ保持部は前記両ケーブル収容溝の他側に設けられていることを特徴とする光コネクタ用ブーツ。
【請求項３】
請求項１又は請求項２に記載の光コネクタ用ブーツであって、
前記重ね合わせ保持部は、前記ブーツ上部又は前記ブーツ下部のいずれか一方に設けたつめ部と、他方に設けられて前記つめ部が嵌合するつめ嵌合部とからなることを特徴とする光コネクタ用ブーツ。
【請求項４】
請求項１から請求項３のいずれか一項に記載の光コネクタ用ブーツであって、
前記ブーツ上部と前記ブーツ下部には、前記光コネクタの光ファイバケーブル引き出し側の後端部に取り付けられる取り付けアームがそれぞれ設けられていることを特徴とする光コネクタ用ブーツ。
【発明の詳細な説明】
【技術分野】
【０００１】
本発明は、光ファイバケーブルを収容・保護する光コネクタ用ブーツに関する。
【背景技術】
【０００２】
従来から、光ファイバケーブルを収容・保護する光コネクタ用ブーツとして、例えば、特開２００９−２８２１７７号公報（特許文献１）に記載された光コネクタ用ブーツが提案されている。この光コネクタ用ブーツは、光ファイバケーブルの外周を囲繞し、光ファイバケーブルを光コネクタに組み付ける際、光ファイバケーブルが曲げられること等による破損を保護するものである。
【０００３】
図９及び図１０は、特許文献１に記載された光コネクタ用ブーツの構成を示す図である。図９及び図１０に示すように、光コネクタ用ブーツ１０１は、光ファイバケーブル９１を収容するブーツ本体１０２と、収容された光ファイバケーブル９１の軸方向に対して直交する方向に設けられた複数の切り込み部１０３と、光ファイバケーブルの軸方向に開口したスリット１０４と、光ファイバケーブル９１が挿通される挿通孔１０５と、光コネクタ９２と嵌合するブーツ嵌合部１０６と、保形用線材が挿入される挿入部１０７から略構成されている。
【０００４】
また、図９及び図１０に示すように、光コネクタ用ブーツ１０１は、複数の切り込み部１０３が互いに平行になって形成されているため、図１０（ａ）及び１０（ｂ）に示すように、ブーツ本体１０２は繞曲が可能である。
【０００５】
そして、光コネクタ用ブーツ１０１のスリット１０４を介して挿通孔１０５内に光ファイバケーブル９１を導入した後、ブーツ本体１０２を光ファイバケーブル９１に沿って光コネクタ９２側にスライドすることにより、ブーツ嵌合部１０６に嵌挿して、光コネクタ９２に光コネクタ用ブーツ１０１が組み付けられる（図９（ｃ）及び図１０（ｃ）参照）。
【先行技術文献】
【特許文献】
【０００６】
【特許文献１】特開２００９−２８２１７７号公報
【発明の概要】
【発明が解決しようとする課題】
【０００７】
しかしながら、上述した光コネクタ用ブーツ１０１では、光ファイバケーブル９１を光コネクタ用ブーツ１０１に収容した後、光コネクタ９２に光コネクタ用ブーツ１０１を組み付け可能にするため、光ファイバケーブル９１の軸方向にスリット１０４が形成されている。このため、光コネクタ用ブーツ１０１を組み付け後、光ファイバケーブル９１の軸方向に対して上下方向（図９（ｃ）に示す矢印Ｘ及び矢印Ｙ方向）に力が加わった際、光コネクタ９２近傍のスリット１０４が開くおそれがある。そのため、光ファイバケーブル９１が外部に露出することにより光接続損失が増加するという問題が発生する。
【０００８】
そこで、本発明はこのような従来の課題を解決するためになされたものであり、その目的とするところは、光ファイバケーブルが外部に露出することを防止し、光接続損失を抑制した高品質な光コネクタ用ブーツを提供することにある。
【課題を解決するための手段】
【０００９】
上記目的を達成するため、本願請求項１に記載した本発明の光コネクタ用ブーツは、光コネクタの光ファイバケーブル引き出し側に組み付けられて前記光コネクタから引き出された光ファイバケーブルを収容・保護する光コネクタ用ブーツであって、前記光コネクタから引き出された光ファイバケーブルが収容されるケーブル収容溝が設けられたブーツ上部と、前記光コネクタから引き出された光ファイバケーブルが収容されるケーブル収容溝が設けられ前記ブーツ上部と重ね合わされて前記ブーツを形成するブーツ下部と、前記ブーツ上部と前記ブーツ下部とを前記光ファイバケーブルの軸方向の一側で連結し前記ブーツ上部と前記ブーツ下部とを折り重ねることでブーツ上部とブーツ下部とを重ね合わせ可能な開き防止用ヒンジと、前記ブーツ上部と前記ブーツ下部とを重ね合わせた状態を保持する重ね合わせ保持部と、を有することを特徴とする。
【００１０】
請求項２に記載した本発明の光コネクタ用ブーツは、請求項１に記載の光コネクタ用ブーツであって、前記ブーツ上部は、光ファイバケーブルの軸方向に対して直交する方向に複数のスリットが設けられたブーツ上部本体と、このブーツ上部本体の幅方向の中間部に光ファイバケーブルの引き出し方向に沿って設けられた前記ケーブル収容溝と、を備え、前記ブーツ下部は、光ファイバケーブルの軸方向に対して直交する方向に複数のスリットが設けられたブーツ下部本体と、このブーツ下部本体の幅方向の中間部に光ファイバケーブルの引き出し方向に沿って設けられ前記ケーブル収容溝としてケーブル挿通孔部を形成する前記ケーブル収容溝と、を備え、前記開き防止用ヒンジは、前記両ケーブル収容溝の一側に設けられ、前記重ね合わせ保持部は前記両ケーブル収容溝の他側に設けられていることを特徴とする。
【００１１】
請求項３に記載した本発明の光コネクタ用ブーツは、請求項１又は請求項２に記載の光コネクタ用ブーツであって、前記重ね合わせ保持部は、前記ブーツ上部又は前記ブーツ下部のいずれか一方に設けたつめ部と、他方に設けられて前記つめ部が嵌合するつめ嵌合部とからなることを特徴とする。
【００１２】
請求項４に記載した本発明の光コネクタ用ブーツは、請求項１から請求項３のいずれか一項に記載の光コネクタ用ブーツであって、前記ブーツ上部と前記ブーツ下部には、前記光コネクタの光ファイバケーブル引き出し側の後端部に取り付けられる取り付けアームがそれぞれ設けられていることを特徴とする。
【発明の効果】
【００１３】
請求項１に記載した本発明の光コネクタ用ブーツによれば、ブーツ上部とブーツ下部とを折り重ね合わせることが可能な開き防止用ヒンジにより、ブーツ上部とブーツ下部とを重ね合わせた後に光ファイバケーブルを挿通することができる。このため、光コネクタ用ブーツは、光コネクタに対して着脱が容易となる。
【００１４】
また、ブーツ上部とブーツ下部を重ね合わせた後に、光ファイバケーブルに張力がかかることにより、ブーツ上部とブーツ下部が開放することがない。このため、光ファイバケーブルが外部に露出することがなく、光接続損失を低減することができる。
【００１５】
さらに、重ね合わせ保持部により、ブーツ上部とブーツ下部を重ね合わせた状態を保持するため、ブーツ上部とブーツ下部が開放することがない。このため、ブーツ上部とブーツ下部が離脱することがなく、光ファイバケーブルが外部に露出することがない。
【００１６】
従って、光ファイバケーブルが外部に露出することを防止し、光接続損失を抑制した高品質な光コネクタ用ブーツを提供することができる。
【００１７】
請求項２に記載した本発明の光コネクタ用ブーツによれば、ブーツ上部及びブーツ下部のケーブル収容溝の一側に開き防止用ヒンジが設けられ、ブーツ上部及びブーツ下部のケーブル収容溝の他側に重ね合わせ保持部が設けられている。このため、光ファイバケーブルに張力がかかることにより、ブーツ上部とブーツ下部が開放することがなく、ブーツ上部とブーツ下部を重ね合わせた状態を保持することができる。
【００１８】
請求項３に記載した本発明の光コネクタ用ブーツによれば、つめ部とつめ嵌合部により、ブーツ上部とブーツ下部を重ね合わせる際の位置を規制することができる。このため、つめ部がつめ嵌合部に完全に嵌合した状態でブーツ上部とブーツ下部が固定されるため、ブーツ上部とブーツ下部が離脱するのを防止することができる。
【００１９】
請求項４に記載した本発明の光コネクタ用ブーツによれば、ブーツ上部とブーツ下部に設けられた取り付けアームにより、光コネクタ用ブーツは光コネクタに対して着脱が容易となる。また、ブーツ上部とブーツ下部が離脱することがなく、光コネクタ用ブーツと光コネクタも離脱することがないため、光ファイバケーブルが露出することによる光接続損失を防止することができる。
【図面の簡単な説明】
【００２０】
【図１】本発明の実施形態に係る光コネクタ用ブーツの斜視図である。
【図２】本発明の実施形態に係る光コネクタ用ブーツの背面からの斜視図である。
【図３】本発明の実施形態に係る光コネクタ用ブーツの開放状態を示す斜視図である。
【図４】本発明の実施形態に係る光コネクタ用ブーツの開放状態の正面図である。
【図５】本発明の実施形態に係る光コネクタ用ブーツの開き防止用ヒンジの概略図である。
【図６】本発明の実施形態に係る光コネクタ用ブーツの断面図である。
【図７】本発明の実施形態に係る光コネクタ用ブーツのブーツ上部とブーツ下部のスライド状態を示す断面図である。
【図８】本発明の実施形態に係る光コネクタ用ブーツを光コネクタに組み付けた状態を示す図である。
【図９】従来における光コネクタ用ブーツを示す図である。
【図１０】従来における光コネクタ用ブーツを示す図である。
【発明を実施するための形態】
【００２１】
以下、本発明の実施形態について図面を参照して説明する。はじめに、図１から図４を参照して、本発明の実施形態に係る光コネクタ用ブーツの構成について説明する。図１は、本発明の実施形態に係る光コネクタ用ブーツの斜視図である。図２は、本発明の実施形態に係る光コネクタ用ブーツの背面からの斜視図である。図３は、本発明の実施形態に係る光コネクタ用ブーツの開放状態を示す斜視図である。図４は、本発明の実施形態に係る光コネクタ用ブーツの開放状態の正面図である。
【００２２】
本発明の実施形態に係る光コネクタ用ブーツは、光コネクタの光ファイバケーブル引き出し側に組み付けられて、光コネクタから引き出された光ファイバケーブルを収容・保護するものである。
【００２３】
図１から図４に示すように、筒形状に形成されている光コネクタ用ブーツ１は、光コネクタ５０から引き出された光ファイバケーブル５１（図８参照）が収容されるブーツ上部１１と、光コネクタ５０から引き出された光ファイバケーブル５１が収容され、ブーツ上部１１と重ね合わされて光コネクタ用ブーツ１を形成するブーツ下部２１と、ブーツ上部１１とブーツ下部２１とを折り重ねることでブーツ上部１１とブーツ下部２１を重ね合わせ可能な開き防止用ヒンジ３１と、ブーツ上部１１とブーツ下部２１とを重ね合わせた状態を保持する重ね合わせ保持部４１とから略構成されている。
【００２４】
ブーツ上部１１は、光ファイバケーブル５１（図８参照）の軸方向に対して直交する方向にブーツ上部側スリット１５が複数設けられたブーツ上部本体１２と、ブーツ上部本体１２の幅方向の中間部に光ファイバケーブル５１の引き出し方向（図８の矢印Ｂ方向）に沿って設けられたブーツ上部側ケーブル収容溝１３と、光コネクタ５０の光ファイバケーブル５１の引き出し側（図８の矢印Ｂ方向）の後端部５６（図８参照）に取り付けられるブーツ上部側取り付けアーム１４とを有している。
【００２５】
ブーツ上部側スリット１５は、この幅方向が光ファイバケーブル５１（図８参照）の軸方向と一致するようにしてブーツ上部本体１２に設けられている。また、ブーツ上部側スリット１５は、複数の第１のスリット１５ａと、複数の第２のスリット１５ｂとで構成されている。
【００２６】
第１のスリット１５ａは、ブーツ上部１１の幅方向で、ブーツ上部１１の一方の端部から中央部近傍にかけて、及び、ブーツ上部１１の他方の端部から中央部近傍にかけて設けられている。また、第１の各スリット１５ａは、光ファイバケーブル５１の軸方向で、所定の間隔をあけて設けられている。図１及び図２では、第１のスリット１５ａは４つ（４対）設けられている。
【００２７】
第２のスリット１５ｂは、ブーツ上部１１の高さ方向で、ブーツ上部１１の一方の端部（ブーツ下部２１とは反対側の端部）から中央部近傍にかけて、設けられている。また、各第２のスリット１５ｂは、光ファイバケーブル５１の軸方向で、第１の各スリット１５ａの間に位置するようににして、所定の間隔をあけて設けられている。図１及び図２では、第２のスリット１５ｂは４つ設けられている。
【００２８】
各スリット１５ａ、１５ｂは、半円柱状のブーツ上部側ケーブル収納孔１３とつながっている。
【００２９】
ブーツ上部側取り付けアーム１４は、ブーツ上部１１とブーツ下部２１が重ね合わされた際に、光コネクタ５０に設けられた光コネクタ側鉤部５３（図８参照）と接触するブーツ上部側アーム部１６と、光コネクタ５０側に設けられた光コネクタ側アーム部５４（図８参照）と接触するブーツ上部側鉤部１７とを有している。
【００３０】
ブーツ下部２１は、光ファイバケーブル５１（図８参照）の軸方向に対して直交する方向にブーツ下部側スリット２５が複数設けられたブーツ下部本体２２と、ブーツ下部本体２２の幅方向の中間部に光ファイバケーブル５１の引き出し方向（図８の矢印Ｂ方向）に沿って設けられたブーツ下部側ケーブル収容溝２３と、光コネクタ５０の光ファイバケーブル引き出し側の後端部５６（図８参照）に取り付けられるブーツ下部側取り付けアーム２４とを有している。
【００３１】
ブーツ下部側スリット２５は、この幅方向が光ファイバケーブル５１（図８参照）の軸方向と一致するようにしてブーツ下部本体２２に設けられている。また、ブーツ下部側スリット２５は、複数の第１のスリット２５ａと、複数の第２のスリット２５ｂとで構成されている。
【００３２】
第１のスリット２５ａは、ブーツ下部２１の幅方向で、ブーツ下部２１の一方の端部から中央部近傍にかけて、及び、ブーツ下部２１の他方の端部から中央部近傍にかけて設けられている。また、第１の各スリット２５ａは、光ファイバケーブル５１の軸方向で、所定の間隔をあけて設けられている。図１及び図２では、第１のスリット２５ａは４つ（４対）設けられている。
【００３３】
第２のスリット２５ｂは、ブーツ下部２１の高さ方向で、ブーツ下部２１の一方の端部（ブーツ上部１１とは反対側の端部）から中央部近傍にかけて、設けられている。また、各第２のスリット２５ｂは、光ファイバケーブル５１の軸方向で、第１の各スリット２５ａの間に位置するようににして、所定の間隔をあけて設けられている。図１及び図２では、第２のスリット２５ｂは４つ設けられている。
【００３４】
各スリット２５ａ、２５ｂは、半円柱状のブーツ下部側ケーブル収納孔２３とつながっている。
【００３５】
なお、図１及び図２に示すように、ブーツ下部２１にブーツ上部１１を係合させた場合には、光ファイバケーブル５１の軸方向で、第１の各スリット１５ａの位置と、第１の各スリット２５ａの位置とがお互いに一致しており、第２の各スリット１５ｂの位置と、第２の各スリット２５ｂの位置とがお互いに一致している。
【００３６】
このように、ブーツ上部１１及びブーツ下部２１は、光ファイバケーブル５１（図８参照）の軸方向に対して直交する方向にブーツ上部側スリット１５及びブーツ下部側スリット２５が形成されている。このため、ブーツ上部本体１２及びブーツ本体下部２２は繞曲が可能となるので、光ファイバケーブル５１を光コネクタ用ブーツ１に収容した後、光コネクタ５０に光コネクタ用ブーツ１を容易に組み付けることができる。
【００３７】
ブーツ下部側取り付けアーム２４は、ブーツ上部１１とブーツ下部２１が重ね合わされた際に、光コネクタ５０に設けられた光コネクタ側鉤部５３（図８参照）と接触するブーツ下部側アーム部２６と、光コネクタ５０側に設けられた光コネクタ側アーム部５４（図８参照）と接触するブーツ下部側鉤部２７とを有している。
【００３８】
ブーツ上部１１のブーツ上部側ケーブル収容溝１３と、ブーツ下部２１のブーツ下部側ケーブル収容溝２３は、ブーツ上部１１とブーツ下部２１が重ね合わせた場合、光ファイバケーブルが挿通するケーブル挿通孔部５２を形成する。
【００３９】
開き防止用ヒンジ３１は、図３及び図４に示すように、ブーツ上部１１とブーツ下部２１とを光ファイバケーブル５１（図８参照）の軸方向の一側で連結している。そして、図１に示すように、開き防止用ヒンジ３１を曲げて、ブーツ上部１１とブーツ下部２１とを折り重ねることでブーツ上部１１とブーツ下部２１を重ね合わせることが可能である。
【００４０】
また、開き防止用ヒンジ３１は、図３及び図４に示すように、ブーツ上部側ケーブル収容溝１３とブーツ下部側ケーブル収容溝２３の幅方向の一側に設けられている。
【００４１】
重ね合わせ保持部４１は、ブーツ上部側ケーブル収容溝１３とブーツ下部側ケーブル収容溝２３の幅方向の一側及び他側に設けられている。なお、本発明の実施形態では、重ね合わせ保持部４１は、ブーツ上部側ケーブル収容溝１３とブーツ下部側ケーブル収容溝２３の幅方向の一側及び他側に設けられている場合について説明するが、ブーツ上部側ケーブル収容溝１３とブーツ下部側ケーブル収容溝２３の幅方向の一側又は他側のいずれかに設けてもよい。
【００４２】
次に、図５を参照して、本発明の実施形態に係る光コネクタ用ブーツの開き防止用ヒンジについて詳細に説明する。図５は、本発明の実施形態に係る光コネクタ用ブーツの開き防止用ヒンジの概略図である。
【００４３】
開き防止用ヒンジ３１は、側面視すると略コ字状、又は、ヒンジ上部３１ａからヒンジ下部３１ｂへ湾曲した形状（平板を湾曲した形状）を有しており（図２及び図５参照）、図５に示すように、ブーツ上部１１とブーツ下部２１を折り重ねることで、開放したブーツ上部１１とブーツ下部２１（図３及び図４参照）を重ね合わせることが可能である。つまり、開き防止用ヒンジ３１は、ブーツ上部１１とブーツ下部２１を開閉可能に支持している。
【００４４】
また、開き防止用ヒンジ３１は、ヒンジ上部３１ａがブーツ上部側ケーブル収容溝１３（図２参照）の一側に一体に設けられ、ヒンジ下部３１ｂがブーツ下部側ケーブル収容溝２３（図２参照）の一側に一体に設けられている。このため、ブーツ上部１１とブーツ下部２１を重ね合わせた後、例えば、光ファイバケーブル５１にブーツ下部２１側（図５の矢印Ａ側）に張力がかかった場合、ブーツ上部１１とブーツ下部２１が開くことがない。
【００４５】
このように、開き防止用ヒンジ３１により、ブーツ上部１１とブーツ下部２１とを折り重ね合わせることが可能であるため、ブーツ上部１１とブーツ下部２１とを重ね合わせた後に光ファイバケーブル５１を挿通することができる。このため、光コネクタ用ブーツ１は、光コネクタ５０に対して着脱が容易となる。
【００４６】
また、ブーツ上部１１とブーツ下部２１を重ね合わせた後、光ファイバケーブル５１に張力がかかることにより、ブーツ上部１１とブーツ下部２１が開放することがない。このため、光ファイバケーブルが外部に露出することがなく、光接続損失を低減することができる。
【００４７】
なお、開き防止用ヒンジ３１は、ブーツ上部１１とブーツ下部２１を開閉することを可能にするため弾性部材で構成されている。また、ブーツ上部１１とブーツ下部２１を光ファイバケーブル５１の軸方向に若干のスライドをすることが可能な程度（図７（ａ）参照）の弾性を備えた弾性部材で開き防止用ヒンジ３１を構成してもよい。
【００４８】
次に、図６及び図７を参照して、本発明の実施形態に係る光コネクタ用ブーツの重ね合わせ保持部について詳細に説明する。図６は、本発明の実施形態に係る光コネクタ用ブーツの断面図である。図７（ａ）は、本発明の実施形態に係る光コネクタ用ブーツのブーツ上部とブーツ下部のスライド前の状態を示す断面図である。図７（ｂ）は、本発明の実施形態に係る光コネクタ用ブーツのブーツ上部とブーツ下部のスライド後の状態を示す断面図である。
【００４９】
図６に示すように、重ね合わせ保持部４１は、ブーツ上部側ケーブル収容溝１３とブーツ下部側ケーブル収容溝２３の幅方向の一側及び他側に設けられている。重ね合わせ保持部４１は、ブーツ上部１１に設けられたつめ部４２と、ブーツ下部２１に設けられてつめ部４２が嵌合するつめ嵌合部４３を有している。
【００５０】
図６及び図７に示すように、つめ部４２は、鉤状（フック状）を有し、つめ上部４２ａと、つめ下部４２ｂから構成されている。また、つめ嵌合部４３は、ブーツ上部１１とブーツ下部２１のスライド後、つめ部４２が係止することが可能に、ブーツ下部２１側へ突出している。つまり、ブーツ上部１１とブーツ下部２１のスライド後、つめ上部４２ａと当接する嵌合上部４３ａと、つめ下部４２ｂと当接する嵌合側部４３ｂから構成されている。
【００５１】
そして、図７に示すように、ブーツ上部１１とブーツ下部２１を折り重ねた場合、ブーツ上部１１とブーツ下部２１をスライドすることにより、ブーツ上部１１とブーツ下部２１を重ね合わせる。
【００５２】
つまり、図７（ａ）に示すように、ブーツ上部１１とブーツ下部２１が折り重ねた状態であって、ブーツ上部１１とブーツ下部２１の位置が一致していない場合（ブーツ上部本体１２とブーツ下部本体２２の外周が一致していない場合）に、図７（ｂ）に示すように、つめ嵌合部４３の嵌合上部４３ａがつめ部４２のつめ上部４２ａと当接し、つめ嵌合部４３の嵌合側部４３ｂがつめ部４２のつめ下部４２ｂと当接することにより、ブーツ上部１１とブーツ下部２１を重ね合わせる。
【００５３】
そして、つめ嵌合部４３の嵌合上部４３ａがつめ部４２のつめ上部４２ａと当接したか否か、つめ嵌合部４３の嵌合側部４３ｂがつめ部４２のつめ下部４２ｂと当接したか否かにより、ブーツ上部１１とブーツ下部２１を重ね合わせる際の位置（光コネクタ用ブーツ１の幅方向及び長手方向）を規制することができる。このため、つめ部４２がつめ嵌合部４３に完全に嵌合した状態でブーツ上部１１とブーツ下部２１が固定されるため、ブーツ上部１１とブーツ下部２１の離脱を防止することができる。
【００５４】
このように、つめ部４２とつめ嵌合部４３により、ブーツ上部１１とブーツ下部２１を重ね合わせた状態を保持するため、ブーツ上部１１とブーツ下部２１が開放することがない。このため、ブーツ上部１１とブーツ下部２１が離脱することがないので、光ファイバケーブル５１（図８参照）が外部に露出することがない。
【００５５】
次に、図８を参照して、本発明の実施形態に係る光コネクタ用ブーツ１を光コネクタ５０に組み付ける場合について説明する。図８（ａ）は、本発明の実施形態に係る光コネクタ用ブーツを光コネクタに組み付けた状態を示す図である。図８（ｂ）は、本発明の実施形態に係る光コネクタ用ブーツを光コネクタに組み付けた状態の内部を示す図である。
【００５６】
図８（ａ）に示すように、光コネクタ用ブーツ１は、光コネクタ５０の光ファイバケーブル５１の引き出し側（図８（ａ）の矢印Ｂ参照）に組み付けられ、光コネクタ５０から引き出された光ファイバケーブル５１を収容・保護する。
【００５７】
光コネクタ用ブーツ１が光コネクタ５０に組み付けられる際、ブーツ上部側アーム部１６、ブーツ下部側アーム部２６と、光コネクタ５０に設けられた光コネクタ側鉤部５３が当接する。また、ブーツ上部側鉤部１７、ブーツ下部側鉤部２７と、光コネクタ５０側に設けられた光コネクタ側アーム部５４が当接することにより、光コネクタ５０の光ファイバケーブル５１の引き出し側（図８の矢印Ｂ方向）の後端部５６に光コネクタ用ブーツ１が組み付けられる。
【００５８】
このように、光コネクタ５０に設けられた光コネクタ側鉤部５３が、ブーツ上部側アーム部１６及びブーツ下部側アーム部２６と当接し、光コネクタ側アーム部５４が、ブーツ上部側鉤部１７及びブーツ下部側鉤部２７と当接することにより、ブーツ上部１１とブーツ下部２１が重ね合わされて光コネクタ５０に組み付けられる。
【００５９】
このため、光コネクタ用ブーツ１は、光コネクタ５０に対して着脱が容易となる。また、ブーツ上部１１とブーツ下部２１が離脱することがなく、光コネクタ用ブーツ１と光コネクタ５０が離脱することもないため、光ファイバケーブル５１が露出することによる光接続損失を防止することができる。
【００６０】
このようにして、本発明の実施形態に係る光コネクタ用ブーツ１は、光コネクタ５０の光ファイバケーブル５１の引き出し側に組み付けられて、光コネクタ５０から引き出された光ファイバケーブル５１を収容・保護する光コネクタ用ブーツ１であって、光コネクタ５０から引き出された光ファイバケーブル５１が収容されるケーブル収容溝（ブーツ上部側ケーブル収容溝）１３が設けられたブーツ上部１１と、光コネクタ５０から引き出された光ファイバケーブル５１が収容されるケーブル収容溝（ブーツ下部側ケーブル収容溝）２３が設けられ、ブーツ上部１１と重ね合わされてブーツを形成するブーツ下部２１と、ブーツ上部１１とブーツ下部２１とを光ファイバケーブル５１の軸方向の一側で連結し、ブーツ上部１１とブーツ下部２１とを折り重ねることでブーツ上部１１とブーツ下部２１とを重ね合わせ可能な開き防止用ヒンジ３１と、ブーツ上部１１とブーツ下部２１とを重ね合わせた状態を保持する重ね合わせ保持部４１と、を有する。
【００６１】
また、本発明の実施形態に係る光コネクタ用ブーツ１は、ブーツ上部１１は、光ファイバケーブル５１の軸方向に対して直交する方向に複数のスリット（ブーツ上部側スリット）１５が設けられたブーツ上部本体１２と、このブーツ上部本体１２の幅方向の中間部に光ファイバケーブル５１の引き出し方向に沿って設けられたケーブル収容溝（ブーツ上部側ケーブル収容溝）１３と、を備え、ブーツ下部２１は、光ファイバケーブル５１の軸方向に対して直交する方向に複数のスリット（ブーツ下部側スリット）２５が設けられたブーツ下部本体２２と、このブーツ下部本体２２の幅方向の中間部に光ファイバケーブル５１の引き出し方向に沿って設けられケーブル収容溝としてケーブル挿通孔部を形成するケーブル収容溝（ブーツ下部側ケーブル収容溝）２３と、を備え、開き防止用ヒンジ３１は、両ケーブル収容溝１３、２３の一側に設けられ、重ね合わせ保持部４１は両ケーブル収容溝１３、２３の他側に設けられている。
【００６２】
さらに、本発明の実施形態に係る光コネクタ用ブーツ１は、重ね合わせ保持部４１は、ブーツ上部１１又はブーツ下部２１のいずれか一方に設けたつめ部４２と、他方に設けられてつめ部４２が嵌合するつめ嵌合部４３とからなる。
【００６３】
また、本発明の実施形態に係る光コネクタ用ブーツ１は、ブーツ上部１１とブーツ下部２１には、光コネクタ５０の光ファイバケーブル５１の引き出し側の後端部５６に取り付けられる取り付けアーム１４、２４がそれぞれ設けられている。
【００６４】
そして、本発明の実施形態に係る光コネクタ用ブーツ１によれば、ブーツ上部１１とブーツ下部２１とを折り重ね合わせることが可能な開き防止用ヒンジ３１により、ブーツ上部１１とブーツ下部２１とを重ね合わせた後に光ファイバケーブル５１を挿通することができる。このため、光コネクタ用ブーツ１は、光コネクタ５０に対して着脱が容易となる。
【００６５】
また、ブーツ上部とブーツ下部を重ね合わせた後に、光ファイバケーブルに張力がかかることにより、ブーツ上部とブーツ下部が開放することがない。このため、光ファイバケーブル５１が外部に露出することがなく、光接続損失を低減することができる。
【００６６】
さらに、重ね合わせ保持部４１により、ブーツ上部１１とブーツ下部２１を重ね合わせた状態を保持するため、ブーツ上部１１とブーツ下部２１が開放することがない。このため、ブーツ上部１１とブーツ下部２１が離脱することがなく、光ファイバケーブルが外部に露出することがない。
【００６７】
従って、光接続損失を抑制した高品質な光コネクタ用ブーツを提供することができる。
【００６８】
また、本発明の実施形態に係る光コネクタ用ブーツ１によれば、ブーツ上部１１及びブーツ下部２１のケーブル収容溝１３、２３の一側に開き防止用ヒンジ３１が設けられ、ブーツ上部１１及びブーツ下部２１のケーブル収容溝１３、２３の一側及び他側に重ね合わせ保持部４１が設けられている。このため、光ファイバケーブル５１に張力がかかることにより、ブーツ上部１１とブーツ下部２１を重ね合わせた状態を保持することができる。
【００６９】
さらに、本発明の実施形態に係る光コネクタ用ブーツ１によれば、つめ部４２とつめ嵌合部４３により、ブーツ上部１１とブーツ下部２１を重ね合わせる際の位置を規制することができる。このため、つめ部４２がつめ嵌合部４３に完全に嵌合した状態でブーツ上部１１とブーツ下部２１が固定されるため、ブーツ上部１１とブーツ下部２１が離脱するのを防止することができる。
【００７０】
また、本発明の実施形態に係る光コネクタ用ブーツ１によれば、ブーツ上部１１とブーツ下部２１に設けられた取り付けアーム１４、２４により、光コネクタ用ブーツ１は光コネクタ５０に対して着脱が容易となる。また、ブーツ上部１１とブーツ下部２１が離脱することがなく、光コネクタ用ブーツ１と光コネクタ５０も離脱することがないため、光ファイバケーブル５１が露出することによる光接続損失を防止することができる。
【００７１】
以上、本発明の光コネクタ用ブーツを図示の実施形態に基づいて説明したが、本発明はこれに限定されるものではなく、各部の構成は、同様の機能を有する任意の構成のものに置き換えることができる。
【００７２】
例えば、上記した実施形態では、つめ部４２はブーツ上部１１に設けられ、つめ嵌合部４３はブーツ下部２１に設けられている場合について説明したが、つめ部４２がブーツ下部２１に設けられ、つめ嵌合部４３がブーツ上部１１に設けられていてもよい。
【産業上の利用可能性】
【００７３】
本発明は、光ファイバケーブルが外部に露出することを防止し、光接続損失を抑制する上で極めて有用である。
【符号の説明】
【００７４】
１      光コネクタ用ブーツ
１１    ブーツ上部
１２    ブーツ上部本体
１３    ブーツ上部側ケーブル収容溝
１４    ブーツ上部側取り付けアーム
１５    ブーツ上部側スリット
１６    ブーツ上部側アーム
１７    ブーツ上部側鉤部
２１    ブーツ下部
２２    ブーツ下部本体
２３    ブーツ下部側ケーブル収容溝
２４    ブーツ下部側取り付けアーム
２５    ブーツ下部側スリット
２６    ブーツ下部側アーム部
２７    ブーツ下部側鉤部
３１    開き防止用ヒンジ
４１    重ね合せ保持部
４２    つめ部
４３    つめ嵌合部
５０    光コネクタ
５１    光ファイバケーブル
５２    ケーブル挿通孔部
５３    光コネクタ側鉤部
５４    光コネクタ側アーム部
５６    後端部
【図１】
2012014112.tif 000003
【図２】
2012014112.tif 000004
【図３】
2012014112.tif 000005
【図４】
2012014112.tif 000006
【図５】
2012014112.tif 000007
【図６】
2012014112.tif 000008
【図７】
2012014112.tif 000009
【図８】
2012014112.tif 000010
【図９】
2012014112.tif 000011
【図１０】
2012014112.tif 000012